(57)【要約】【課題】チップマウンタ等の装置にセットしたテーピング部品から剥離されて排出される上テープを簡単な操作によって排出可能とし、装置の稼働率を高める。【解決手段】チップマウンタ等の装置にセットされたテーピング部品から剥離して排出される上テープ１２を処理するテーピング部品の上テープ処理装置であって、前記テーピング部品から剥離された上テープ１２を、上テープの送り出し方向に回転駆動される駆動ローラ１４とピンチローラ１６とで挟圧して排出側に送り出す送り出し機構部と、筒体状に形成され、前記送り出し機構部から送り出された上テープ１２が通過する複数の吸引孔が長手方向に所定間隔をあけて設けられたガイド筒１８と、該ガイド筒の基端側に接続され、ガイド筒の内側に前記上テープ１２をエア流とともに引き込み、ガイド筒１８を介して前記上テープを廃棄箱に収納する真空吸引装置２０とを備えている。【選択図】　　　　　図１
2004087698.tif 000002
【特許請求の範囲】
【請求項１】
チップマウンタ等の装置にセットされたテーピング部品から剥離して排出される上テープを処理するテーピング部品の上テープ処理装置であって、
前記テーピング部品から剥離された上テープを、上テープの送り出し方向に回転駆動される駆動ローラとピンチローラとで挟圧して排出側に送り出す送り出し機構部と、
筒体状に形成され、前記送り出し機構部から送り出された上テープが通過する複数の吸引孔が長手方向に所定間隔をあけて設けられたガイド筒と、
該ガイド筒の基端側に接続され、ガイド筒の内側に前記上テープをエア流とともに引き込み、ガイド筒を介して前記上テープを廃棄箱に収納する真空吸引装置とを備えていることを特徴とするテーピング部品の上テープ処理装置。
【請求項２】
前記ガイド筒が、直列に複数個連結されていることを特徴とする請求項１記載のテーピング部品の上テープ処理装置。
【請求項３】
前記ピンチローラが、揺動アームの一端側に回転自在に支持され、揺動アームの他端側に取り付けられた付勢部材により駆動ローラに常時弾性的に押接されていることを特徴とする請求項１または２記載のテーピング部品の上テープ処理装置。
【発明の詳細な説明】
【０００１】
【発明の属する技術分野】
本発明はテーピング部品の上テープ処理装置に関し、より詳細には、テーピング部品の上テープを容易に排出可能とするテーピング部品の上テープ処理装置に関する。
【０００２】
【従来の技術】
チップマウンター等の自動機では、リールに巻回した長尺状のテーピング部品を装置にセットし、リールから徐々に部品を送り出しながら、回路部品を基板に搭載するといた操作を行う。一般にテーピング部品は、部品を支持するキャリアテープの上に保護用として上テープを被せて提供され、使用に際してキャリアテープから剥離された上テープは巻取りリールに巻き取られて廃棄されるように構成されている。
【０００３】
【発明が解決しようとする課題】
したがって、テーピング部品を装置にセットする際には、テーピング部品をセットするとともに、巻取り用のリールをセットし、上テープとキャリアテープを各々巻取りリールに巻き付けるようにしてセットしている。ところで、チップマウンタなどでは非常に他種類の回路部品を扱っているから、装置にはいろいろなテーピング部品がセットされ、テーピング部品ごとに巻取りリールをセットするように構成されている。したがって、このような装置では、テーピング部品を使い終えて、新しくテーピング部品をセットする操作ごとに、巻取りリールを交換してセットする操作を行っている。
【０００４】
このため、テーピング部品を使用する従来の装置では、テーピング部品を掛け替える操作が非常に煩雑であるという問題があった。とくに、多品種のテーピング部品を使用する装置では、掛け替え操作がしばしば生じることから、テーピング部品の交換作業が装置の稼働率の点で問題となる。
ことに、テーピング部品の掛け替え作業時に巻取りリールを付け替えるといった操作は、自動機の動作を一時停止して行わなければならないことから、装置の稼働率を低下させる直接的な要因になるという問題がある。
そこで、本発明はこれらの課題を解決すべくなされたものであり、その目的とするところは、テーピング部品の交換作業の効率化を図り、それによって装置の稼働率を向上させ製造効率を向上させることができるテーピング部品の上テープ処理装置を提供するにある。
【０００５】
【課題を解決するための手段】
本発明は上記目的を達成するため、次の構成を備える。
すなわち、チップマウンタ等の装置にセットされたテーピング部品から剥離して排出される上テープを処理するテーピング部品の上テープ処理装置であって、前記テーピング部品から剥離された上テープを、上テープの送り出し方向に回転駆動される駆動ローラとピンチローラとで挟圧して排出側に送り出す送り出し機構部と、筒体状に形成され、前記送り出し機構部から送り出された上テープが通過する複数の吸引孔が長手方向に所定間隔をあけて設けられたガイド筒と、該ガイド筒の基端側に接続され、ガイド筒の内側に前記上テープをエア流とともに引き込み、ガイド筒を介して前記上テープを廃棄箱に収納する真空吸引装置とを備えていることを特徴とする。
また、前記ガイド筒が、直列に複数個連結されていることにより、上テープの幅寸法に合わせて上テープを排出することができ、多くのテーピング部品をセットする装置に好適に使用することができる。
また、前記ピンチローラが、揺動アームの一端側に回転自在に支持され、揺動アームの他端側に取り付けられた付勢部材により駆動ローラに常時弾性的に押接されていることにより、上テープの送り出し機構部に簡単に上テープをセットすることができる。
【０００６】
【発明の実施の形態】
以下、本発明の好適な実施の形態について添付図面とともに詳細に説明する。
図１は本発明に係るテーピング部品の上テープ処理装置の概略構成を示す説明図である。本発明に係るテーピング部品の上テープ処理装置は、長尺体に形成されたキャリアテープから剥離された上テープを巻取りリールに巻き取らず、真空吸引装置によって吸引して廃棄箱に収納することを特徴とする。
【０００７】
図１はチップマウンタに本発明に係る上テープ処理装置を取り付けた例を示す。同図で１０はキャリアテープから部品をピックアップするピックアップステージであり、１２はキャリアテープから剥離された上テープである。１４は上テープ１２を排出側に送り出す駆動ローラであり、１６は駆動ローラ１４との間で上テープ１２を挟圧するピンチローラである。本実施形態では、ピックアップステージ１０の後方に駆動ローラ１４とピンチローラ１６とを配置し、キャリアテープから剥離された上テープ１２を駆動ローラ１４とピンチローラ１６とで挟圧して、ピックアップステージ１０の後方に排出するように構成している。駆動ローラ１４およびピンチローラ１６が上テープ１２を排出側に送り出す送り出し機構部を構成している。
【０００８】
図２に、駆動ローラ１４とピンチローラ１６の配置を拡大して示す。駆動ローラ１４は駆動モータ（不図示）の出力軸に連繋して、上テープ１２を排出方向へ送り出すため一方向に回転駆動される。ピンチローラ１６は駆動ローラ１４に従動して回転するもので、本実施形態ではＬ字形に形成された揺動アーム１７ａの一端に回転自在に支持され、揺動アーム１７ａの他端に取り付けられたスプリング１７ｂの付勢力（収縮力）により、駆動ローラ１４の外周面に向けて常時押接する向きに付勢されている。
【０００９】
上テープ１２を駆動ローラ１４とピンチローラ１６とで挟圧するようにセットする際は、ピンチローラ１６を押し下げてピンチローラ１６を駆動ローラ１４の外面から離間させ、その状態で駆動ローラ１４とピンチローラ１６との間に上テープ１２を通過させるようにすればよい。このように、送り出し機構部に上テープ１２をセットする操作は、ピンチローラ１６を押し下げるようにして上テープ１２を通過させるだけであるので、きわめて容易である。
駆動ローラ１４とピンチローラ１６とを備えた送り出し機構部は、構成が簡易であり、既存のチップマウンタ等の既存の装置に追加加工を施して、後付けで取り付けることも容易に可能である。
【００１０】
図１において、１８は送り出し機構部から送り出された上テープ１２を真空吸引装置２０に送り込むためのガイド筒である。送り出し機構部から送り出された上テープ１２は、このガイド筒１８を経由して真空吸引装置２０にエア吸引される。真空吸引装置２０には送り出し機構部から排出されてくる上テープ１２を収納する廃棄箱が設けられており、上テープ１２はガイド筒１８からエア吸引されて最終的に廃棄箱内に収納される。図１では、ガイド筒１８を長手方向の端面側から見た状態を示す。
【００１１】
図３にガイド筒１８を正面方向から見た状態を示す。
ガイド筒１８は円筒状に形成された筒体の外面に、筒体の長手方向に所定間隔をあけてスリット状に開口する吸引孔１９を形成したものである。実施形態では、吸引孔１９の大きさが異なる２本のガイド筒１８ａ、１８ｂを連結パイプ２２により直列に接続し、接続パイプ２４を介して真空吸引装置２０に接続している。
【００１２】
吸引孔１９はガイド筒１８ａ、１８ｂの内部を通過するようにして真空吸引装置２０に上テープ１２を引き込むためのエア吸引孔として作用するものであり、上テープ１２を通過させるに十分な幅のスリット状に設けられている。吸引孔１９を細幅のスリット状に形成することで、上テープ１２は真空吸引装置２０によって吸引孔１９から吸引されるエア流によってガイド筒１８の内側に引き込まれる。
なお、上テープ１２をガイド筒１８の吸引孔１９にセットする際は、真空吸引装置２０を作動させた状態で、吸引孔１９の近くに上テープ１２の端部を持ってきて、吸引孔１９に差し込むようにすると、エアによる吸引力によって自然に上テープ１２がガイド筒１８内に引き込まれてセットされる。
【００１３】
ガイド筒１８には筒体の長手方向に所定間隔をあけて多数個の吸引孔１９を形成するが、これは、チップマウンタに搭載するテーピング部品ごとに上テープ１２をガイド筒１８から排出できるようにするためである。ガイド筒１８に多くの吸引孔１９を設けておくことで、多種類のテーピング部品をセットする装置についても、ガイド筒１８を利用して上テープ１２を効率的に排出することが可能である。ガイド筒１８を筒体状に形成し、スリット状の吸引孔１９を形成して上テープ１２を排出する方法は、ガイド筒１８に多数個の吸引孔１９を形成することが容易であること、各々の吸引孔１９から１枚ずつ上テープ１２を引き込むことによって上テープ１２が絡み合ったりせず、整然と排出することができるという利点がある。
【００１４】
ガイド筒１８から上テープ１２を排出する場合、一部使用しない吸引孔１９があってもかまわない。必要であれば、使用しない吸引孔１９についてはテープを貼って、一時的に封止しておいてもよい。
また、図３に示すように、上テープ１２の寸法に合わせて適当な大きさの吸引孔１９を備えたガイド筒１８を使用するのがよい。したがって、テーピング部品に合わせて吸引孔１９の大きさが異なるガイド筒１８を交換して取り付けるのがよい。また、ガイド筒１８は２本に限らず３本以上連結して使用することももちろん可能である。
【００１５】
ガイド筒１８は品種に応じて容易に交換でき、直列に接続して長く連結された場合でも装置に簡単に支持できるようにする必要がある。本実施形態では図４に示すようにガイド筒１８を支持部材２６に取り付けた構成とし、支持部材２６を装置側に脱着可能として、ガイド筒１８の交換とガイド筒１８の支持が容易にできるように構成している。
支持部材２６はガイド筒１８を支持するＬ字形に折曲した支持アーム部２６ａとＵ字形に屈曲した係止アーム部２６ｂとを備え、装置側に設けられている支持フレーム２８に係止アーム部２６ｂを抜き差しすることで脱着することができる。
【００１６】
本実施形態の上テープ処理装置を使用するに際しては、真空吸引装置２０に先端部をテープ等で封止したガイド筒１８をセットし、複数のガイド筒１８を連結した場合は、最も先端側のガイド筒１８の端部をテープ等で封止し、真空吸引装置２０によってエア吸引する。ガイド筒１８は通常は吸引孔１９が上位置になるようにセットするが、必要に応じて、上テープ１２の送り出し方向に合わせてガイド筒１８を軸線の回りで回転して吸引孔１９の向きを調節する。
チップマウンタ等の装置ではリールに巻回されたテーピング部品を所定位置にセットするから、テーピング部品をセットする際に、図１に示すように上テープの送り出し側を駆動ローラ１４とピンチローラ１６に挟んでおく。
【００１７】
装置を作動させると、送り出し機構部から順次、上テープ１２が送り出されてくるから、ガイド筒１８の近くまで上テープ１２が送り出されてきたところで、上テープ１２を所定の吸引孔１９に導いてガイド筒１８内にエア吸引させる。ガイド筒１８内では、真空吸引装置２０に向けてエア流が生成されており、これによって上テープ１２はガイド筒１８内を通過して真空吸引装置２０に吸引され、廃棄箱内にたまっていく。廃棄箱内に上テープ１２が一定量たまったら、廃棄箱を外して、上テープ１２を廃棄する。
チップマウンタ等の装置ではテーピング部品の交換時期もまちまちであるから、実際には交換時期となったテーピング部品について、上記のようなセット操作を行う。各々のテーピング部品について上テープの送り出し位置に応じて適宜使用する吸引孔１９を決めておけば、他のテーピング部品の排出操作を妨げることなく、装置を稼働させた状態であっても交換操作を行うことができる。
【００１８】
ガイド筒１８から吸引されて廃棄箱に収納される上テープ１２は種々のテーピング部品の上テープ１２が混在したものとなる。通常、上テープ１２はリールに巻き取った場合でもそのまま廃棄されるから、廃棄箱に種々の上テープが混在していることは問題にならないが、特定の一または複数のテーピング部品については上テープを他の製品と分離して廃棄する必要がある場合には、これらのテーピング部品から排出される上テープについては別個の真空吸引装置とガイド筒を備えた上テープ処理装置を使用すればよい。
【００１９】
なお、真空吸引装置２０は常時作動させておいてもよいが、真空発生装置のエア消費を節約するため、装置側から送り出されてくる上テープ１２が滞留しない状態で間欠的に作動させるようにしてもよい。図１に示すように、装置側から送り出されてくる上テープ１２は真空吸引装置２０のエア吸引力によってガイド筒１８に向けて引き込まれるようにして排出されるから、時期をみて廃棄箱に収納されている上テープを廃棄処理すればよい。
本実施形態の上テープ処理装置を使用した場合は、テーピング部品の交換作業が容易にできることから、実際の装置に使用した例で装置の稼働率を３０％程度改善することができた。
【００２０】
【発明の効果】
本発明に係るテーピング部品の上テープ処理装置によれば、テーピング部品をチップマウンタ等の装置にセットした際にテーピング部品から剥離されて排出される上テープを簡単な操作によって引き出して廃棄箱に収納することができ、テーピング部品を装置にセットする操作を容易にすることができる。また、テーピング部品を交換等する操作が装置を稼働したまま行うことができ、これによって装置の稼働率を向上させることが可能になる等の著効を奏する。
【図面の簡単な説明】
【図１】本発明に係るテーピング部品の上テープ処理装置の概略構成を示す説明図である。
【図２】駆動ローラとピンチローラの構成を示す説明図である。
【図３】ガイド筒の構成を示す説明図である。
【図４】ガイド筒の取り付け方法を示す説明図である。
【符号の説明】
１０　ピックアップステージ
１２　上テープ
１４　駆動ローラ
１６　ピンチローラ
１７ａ　揺動アーム
１７ｂ　スプリング
１８、１８ａ、１８ｂ　ガイド筒
１９　吸引孔
２０　真空吸引装置
２２　連結パイプ
２４　接続パイプ
２６　支持部材
【図１】
2004087698.tif 000003
【図２】
2004087698.tif 000004
【図３】
2004087698.tif 000005
【図４】
2004087698.tif 000006